(57)【特許請求の範囲】
【請求項１】
木製の階段用踏み板を鉛直方向の支持部材に水平な状態に支持させる支持具であって、
踏み板に取付ける踏み板取付片と支持部材に取付ける支持部材取付片とをほぼ直交して有し、踏み板取付片には１又は２以上の踏み板用取付孔が設けられた金属製の支持具本体と、
前記支持具本体の踏み板用取付孔の内部に嵌る第１環状部と、この第１環状部と同心状に繋がっていて前記支持具本体の少なくとも上面における踏み板用取付孔の周縁部を覆う第２環状部とを有する、支持具本体より柔軟な材料からなる応力緩和部材と、
前記第１環状部の内部を貫通して踏み板に到達するように締結部品が取付けられる締結部品取付部と、その取付け状態で踏み板取付片の下面に当接する当接部とを有し、かつ、踏み板に前記締結部品により取付けた状態において前記支持具本体と前記踏み板との間で前記第２環状部を挟持する固定手段とを具備することを特徴とする支持具。
【請求項２】
請求項１に記載の支持具において、
前記固定手段は、前記応力緩和部材を挟んで下側に設けられる下側固定部材と、上側に設けられる上側固定部材とを有し、両固定部材の一方に、前記第１環状部の内部を貫通して両固定部材の他方に達する連結部が設けられ、その連結部と前記他方の固定部材とが係止されており、かつ下側固定部材に前記締結部品取付部が設けられていることを特徴とする支持具。
【請求項３】
請求項２に記載の支持具において、
前記上側固定部材は前記踏み板と前記応力緩和部材との間に挟まれる部分を平坦にして形成されていることを特徴とする支持具。
【請求項４】
請求項１乃至３のいずれかに記載の支持具において、
前記締結部品取付部の上端が、前記第１環状部の下面に当接することを特徴とする支持具。
【請求項５】
請求項１乃至４のいずれかに記載の支持具において、
前記支持具本体は、２つのコの字状部材の両端部どうしを重合させるとともに各々の重合部分を揺動可能に連結し、一方のコの字状部材が他方のコの字状部材に対して角度調整可能に構成され、一方のコの字状部材の中間部が前記支持部材取付片として機能し、一方のコの字状部材の一端部とこれに繋がる他方のコの字状部材の一端部とが前記踏み板取付片として機能することを特徴とする支持具。
【請求項６】
請求項１乃至５のいずれかに記載の支持具により踏み板を支持することを特徴とする支持構造。
【発明の詳細な説明】
【技術分野】
【０００１】
本発明は、木製の階段用踏み板を水平な状態に支持する支持具及び支持構造に関する。
【背景技術】
【０００２】
上述した階段用踏み板の支持構造としては種々のタイプのものがあるが、その１つに、例えば木製の踏み板の両端部を、傾斜して配置された段状をした一対の側板に載せ、上段の踏み板の前端部の下面と、下段の踏み板の後端部の上面又は後端面とに、鉛直の蹴込み板の両端を掛け渡し、蹴込み板と踏み板との接合部をネジ釘等により固定する構成のものが知られている（例えば、特許文献１参照）。
【特許文献１】特開平１１−３５０６９１号公報
【発明の開示】
【発明が解決しようとする課題】
【０００３】
ところで、上述した踏み板を一対の側板の段部に直接、ネジ釘等を用いて固定することも一般的に行われている。この構成の場合には、湿度や温度の変化により踏み板が長手方向に伸縮すると、ネジ釘等を用いて固定した踏み板部分に割れが発生し易いという難点があった。
【０００４】
本発明は、このような従来技術の課題を解決するためになされたものであり、踏み板の割れ発生を抑制して踏み板を支持することができる支持具及び支持構造を提供することを目的とする。
【課題を解決するための手段】
【０００５】
本発明の請求項１に係る支持具は、木製の階段用踏み板を鉛直方向の支持部材に水平な状態に支持させる支持具であって、踏み板に取付ける踏み板取付片と支持部材に取付ける支持部材取付片とをほぼ直交して有し、踏み板取付片には１又は２以上の踏み板用取付孔が設けられた金属製の支持具本体と、前記支持具本体の踏み板用取付孔の内部に嵌る第１環状部と、この第１環状部と同心状に繋がっていて前記支持具本体の少なくとも上面における踏み板用取付孔の周縁部を覆う第２環状部とを有する、支持具本体より柔軟な材料からなる応力緩和部材と、前記第１環状部の内部を貫通して踏み板に到達するように締結部品が取付けられる締結部品取付部と、その取付け状態で踏み板取付片の下面に当接する当接部とを有し、かつ、踏み板に前記締結部品により取付けた状態において前記支持具本体と前記踏み板との間で前記第２環状部を挟持する固定手段とを具備することを特徴とする。
【０００６】
本発明の請求項２に係る支持具は、請求項１に記載の支持具において、前記固定手段は、前記応力緩和部材を挟んで下側に設けられる下側固定部材と、上側に設けられる上側固定部材とを有し、両固定部材の一方に、前記第１環状部の内部を貫通して両固定部材の他方に達する連結部が設けられ、その連結部と前記他方の固定部材とが係止されており、かつ下側固定部材に前記締結部品取付部が設けられていることを特徴とする。
【０００７】
本発明の請求項３に係る支持具は、請求項２に記載の支持具において、前記上側固定部材は前記踏み板と前記応力緩和部材との間に挟まれる部分を平坦にして形成されていることを特徴とする。
【０００８】
本発明の請求項４に係る支持具は、請求項１乃至３のいずれかに記載の支持具において、前記締結部品取付部の上端が、前記第１環状部の下面に当接することを特徴とする。
【０００９】
本発明の請求項５に係る支持具は、請求項１乃至４のいずれかに記載の支持具において、前記支持具本体は、２つのコの字状部材の両端部どうしを重合させるとともに各々の重合部分を揺動可能に連結し、一方のコの字状部材が他方のコの字状部材に対して角度調整可能に構成され、一方のコの字状部材の中間部が前記支持部材取付片として機能し、一方のコの字状部材の一端部とこれに繋がる他方のコの字状部材の一端部とが前記踏み板取付片として機能することを特徴とする。
【００１０】
本発明の請求項６に係る支持構造は、請求項１乃至５のいずれかに記載の支持具により踏み板を支持することを特徴とする。
【発明の効果】
【００１１】
本発明による支持具及び支持構造による場合には、支持具本体の踏み板取付片を踏み板の下側に配し、締結部品を上方の踏み板に締結させると、当接部が踏み板取付片の下面に当接するとともに、応力緩和部材の第２環状部を間に挟んで踏み板と支持具本体とが配置されるので、支持具本体に対して踏み板が水平移動可能な状態で支持される。また、踏み板に先端部が固定されるとともに締結部品取付部に取付けられた締結部品が、踏み板用取付孔内における第１環状部の径方向への変形に応じて移動可能である。よって、湿度や温度の変化により踏み板が長手方向に伸縮しても、踏み板の割れ発生を抑制して踏み板を支持することができる。
【００１２】
請求項２の支持具による場合には、連結部と他方の固定部材とを係止し、これにより連結部を介して下側固定部材と上側固定部材とを連結すると、両固定部材が踏み板取付片及び応力緩和部材を間に挟んで保持する。よって、支持具を持ち運ぶ際に、支持具本体と応力緩和部材と固定手段とが脱落することがない。
【００１３】
請求項３の支持具による場合には、上側固定部材の踏み板と応力緩和部材との間で挟まれた部分が平坦であるので、踏み板の支持具本体に対する水平移動の抵抗を減らしてスムーズな水平移動を可能となし得る。
【００１４】
請求項４の支持具による場合には、締結部品取付部の上端が第１環状部の下面に当接するので、締結部品取付部の上端と踏み板との間で第１環状部を挟持することができ、第１環状部が踏み板とは反対側に逃げるのを防止することが可能になり、踏み板、固定部材および締結部品が踏み板に作用する応力を緩和すべく水平移動しても応力緩和部材が異常変形して破損するのを防止する。
【００１５】
請求項５の支持具による場合には、２つのコの字状部材の両端部どうしを重合させるとともに各々の重合部分を揺動可能に連結して矩形状に形成されており、また、支持部材取付片として機能する部分を支持部材に取付けるに際し、踏み板取付片として機能する部分を上側に、踏み板取付片として機能する部分と平行な部分を下側にすることにより、踏み板の支持強度が向上する。更に、角度調整可能な一方のコの字状部材の中間部が支持部材取付片として機能するので、螺旋階段の中心に位置する柱にその支持部材取付片を取付ける際の角度に制限を受け難い。
【発明を実施するための最良の形態】
【００１６】
以下に、本発明を具体的に説明する。
【００１７】
図１は本実施形態に係る支持具により階段用踏み板を支持する支持構造としての螺旋階段部分Ｘを斜め下側から見た図で、図２は図１の螺旋階段部分Ｘを真下から見た図である。また、図３は踏み板の外側を支持する支持具を示す斜視図、図４は図３のＩＶ−ＩＶ線による断面図、図５は踏み板の内側（階段の中心側）を支持する支持具を示す斜視図、図６は図５のＶＩ−ＶＩ線による断面図である。更に、図７（ａ）は上側固定部材を示す平面図、同（ｂ）は（ａ）のＢ−Ｂ線による断面図、同（ｃ）は上側固定部材を示す正面図、同（ｄ）は上側固定部材を示す底面図であり、図８（ａ）は下側固定部材を示す平面図、同（ｂ）は（ａ）のＡ−Ａ線による断面図、同（ｃ）は下側固定部材を示す正面図、同（ｄ）は下側固定部材を示す底面図であり、図９（ａ）は応力緩和部材を示す平面図、同（ｂ）は（ａ）のＣ−Ｃ線による断面図、同（ｃ）は応力緩和部材を示す正面図、同（ｄ）は応力緩和部材を示す底面図である。
【００１８】
本実施形態では、螺旋階段部分Ｘの中心に位置する支持部材としての柱２と、その周りの支持部材としての壁３とを利用して踏み板１を支持する構成となっている。そして、支持具としては、壁３に取付けて踏み板１の外側を支持する外側支持具１０と、柱２に取付けて踏み板１の内側を支持する内側支持具２０との２種類を用いている（図１、図２参照）。
【００１９】
踏み板１は、踊り場用の正方形状の踏み板１Ａと、階段部分用の直角三角形状の踏み板１Ｂと、四角形状の踏み板１Ｃとを組み合わせて構成されており、各踏み板１Ａ、１Ｂ、１Ｃはすべて木製のものである。また、隣り合う踏み板１Ａ、１Ｂ、１Ｃの間には、木製の蹴込み板１Ｄが縦方向に設けられている。
【００２０】
外側支持具１０は、概略断面Ｌ字状の金属製の支持具本体１１と、この支持具本体１１に取付けられた応力緩和部材１４と、固定手段としての上側固定部材１６および下側固定部材１７とを有する（図３、図４参照）。
【００２１】
支持具本体１１は、踏み板１に取付ける踏み板取付片１２と壁３に取付ける支持部材取付片１３とをほぼ直交して有し、踏み板取付片１２には３つの踏み板用取付孔１２ａが設けられ、支持部材取付片１３には３箇所のそれぞれに上下２個の支持部材用取付孔１３ａが設けられている。なお、踏み板用取付孔１２ａ及び支持部材用取付孔１３ａの個数は、それぞれ１又は２以上の任意の数が選定される。
【００２２】
応力緩和部材１４は、支持具本体１１より柔軟な材料、例えば発泡ゴムからなり、支持具本体１１の踏み板用取付孔１２ａの内部に嵌る第１環状部１４ａと、この第１環状部１４ａと同心状に繋がっていて支持具本体１１の上面における踏み板用取付孔１２ａの周縁部を覆う第２環状部１４ｂとを有する（図９参照）。第２環状部は、支持具本体１１の上面だけでなく、支持具本体１１の下面における踏み板用取付孔１２ａの周縁部を覆うように、上下２箇所に設けてもよい。なお、第１環状部１４ａは応力緩和部材１４の内側の円筒部で、第２環状部１４ｂがその円筒部の上側外周面から外方に突出した鍔部である構成となっている。
【００２３】
下側固定部材１７は、例えば合成樹脂製のもので、第１環状部１４ａの内部を貫通して踏み板に到達するように締結部品、本実施形態ではビス１８が取付けられるビス取付部１７ａと、そのビス１８の取付け状態で踏み板取付片１２の下面に当接する当接部１７ｂとを有し、かつ、踏み板１にビス１８を取付けた状態において支持具本体１１と踏み板１との間で第１環状部１４ａを挟持するように構成されている。上端には、当接部１７ｂの複数箇所、図示例では６箇所を繋ぐ補強片１７ｃが設けられている（図４、図８参照）。
【００２４】
上側固定部材１６は、例えば合成樹脂製のもので、第１環状部１４ａの内部を貫通して下側固定部材１７のビス取付部１７ａに達する連結部１６ａが設けられ、その連結部１６ａとビス取付部１７ａとが係止されている。また、上側固定部材１６は、踏み板１と応力緩和部材１４との間に挟まれる部分を平坦部１６ｂとして形成されており、連結部１６ａの内部はビス１８を取付ける取付孔１６ｃとなっている（図４、図７参照）。
【００２５】
一方の内側支持具２０は、矩形状に組立てられた金属製の支持具本体２１と、この支持具本体２１に取付けられた応力緩和部材１４と、固定手段としての上側固定部材１６および下側固定部材１７とを有する（図５、図６参照）。上記応力緩和部材１４、上側固定部材１６および下側固定部材１７は、前記外側支持具１０のものと全く同一のものが用いられていて、説明を省略する。
【００２６】
支持具本体２１は、コの字状部材２２の両端部２２ａ、２２ｂと、コの字状部材２３の両端部２３ａ、２３ｂどうしを重合させるとともに、端部２２ａと端部２３ａの重合部分と、端部２２ｂと端部２３ｂの重合部分とが揺動可能な連結部２４ａ、２４ｂを介して連結されている（図５、図６参照）。よって、一方のコの字状部材２２が他方のコの字状部材２３に対して角度調整可能に構成される。ここで、一方のコの字状部材２２の中間部２２ｃに支持部材用取付孔２２ｄを設けることで、その中間部２２ｃを支持部材取付片として機能させ得る。また、一方のコの字状部材の一端部２２ａとこれに繋がる他方のコの字状部材２３の一端部２３ａとに、図示例では他方のコの字状部材２３の一端部２３ａに踏み板用取付孔２３ｄを形成し、そこに応力緩和部材１４、上側固定部材１６および下側固定部材１７を設けることで、一端部２３ａを踏み板取付片として機能させ得る。上記支持部材用取付孔２２ｄ及び踏み板用取付孔２３ｄの個数は、それぞれ１又は２以上の任意の数が選定される。
【００２７】
なお、他方のコの字状部材２３の他端部２３ｂに、踏み板用取付孔２３ｄに対応する位置に設けられた貫通孔２３ｅはビス１８やビス１８を回転させるドライバーを挿通させるために用いられる。
【００２８】
したがって、このように構成された外側支持具１０の支持部材取付片１３の踏み板用取付孔１２ａを壁３にビス１９止めし、踏み板取付片１２の踏み板用取付孔１２ａを踏み板１の下面にビス１８止めすることで、踏み板１の外側が壁３に支持される。一方、内側支持具２０の支持部材用取付孔２２ｄを柱２にビス１９止めし、踏み板用取付孔２３ｄを踏み板１の下面にビス１８止めすることで、踏み板１が螺旋階段に取付けられる。この取付け状態において、当接部１７ｂが踏み板取付片１２の下面に当接するとともに、応力緩和部材１４の第２環状部１４ｂを間に挟んで踏み板１と支持具本体１１とが配置されるので、支持具本体１１に対して踏み板１が水平移動可能な状態で支持される。また、踏み板１に先端部が固定されるとともにビス取付部１７ａに取付けられたビス１８が、踏み板用取付孔１２ａ、２３ｄ内における第１環状部１４ａの径方向への変形に応じて移動可能である。よって、湿度や温度の変化により踏み板１が長手方向に伸縮しても、踏み板１の割れ発生を抑制して踏み板１を支持することができる。
【００２９】
また、本実施形態にあっては、連結部１６ａと下側固定部材１７とを係止し、これにより連結部１６ａを介して下側固定部材１７と上側固定部材１６とを連結すると、両固定部材１６、１７が踏み板取付片１２及び応力緩和部材１４を間に挟んで保持するので、支持具を持ち運ぶ際に、支持具本体１１、２１と応力緩和部材１４と固定部材１６、１７とが脱落することがない。更に、上側固定部材１６の踏み板１と応力緩和部材１４との間で挟まれた部分が平坦部１６ｂとなっているので、踏み板１の支持具本体１１に対する水平移動の抵抗を減らしてスムーズな水平移動を可能となし得る。更にまた、ビス取付部１７ａの上端が第１環状部１４ａの下面に当接するので、ビス取付部１７ａの上端と踏み板１との間で第１環状部１４ａを挟持することができ、第１環状部１４ａが踏み板１とは反対側に逃げるのを防止することが可能になり、踏み板１、固定部材１６、１７およびビス１８が、踏み板１に作用する応力を緩和すべく水平移動しても応力緩和部材１４が異常変形して破損するのを防止する。
【００３０】
更にまた、本実施形態による場合には、内側支持具２０が、２つのコの字状部材２２、２３の両端部どうし２２ａと２３ａ、２２ｂと２３ｂを重合させるとともに各々の重合部分を揺動可能に連結して矩形状に形成されており、また、支持部材取付片として機能する部分（中間部２２ｃ）を柱２に取付けるに際し、踏み板取付片として機能する部分（一端部２３ａ）を上側に、踏み板取付片として機能する部分（一端部２３ａ）と平行な部分（他端部２３ｂ）を下側にすることにより、踏み板１の支持強度が向上する。更に、角度調整可能な一方のコの字状部材２２の中間部２２ｃが支持部材取付片として機能するので、螺旋階段の中心に位置する柱２にその中間部２２ｃを取付ける際の角度に制限を受け難い。
【００３１】
なお、上述した実施形態では外側支持具１０に概略断面Ｌ字状の支持具本体１１を用いているが、本発明はこれに限らず、外観が矩形状に形成された支持具本体を用いてもよい。また、内側支持具２０に外観が矩形状に形成された支持具本体２１を用いているが、本発明はこれに限らず、概略断面Ｌ字状の支持具本体を用いてもよい。
【００３２】
また、上述した実施形態では支持構造として螺旋階段部分に踏み板を取付ける場合を例に挙げているが、本発明はこれに限らず、直線状の階段部分に踏み板を取付ける場合にも適用することができる。但し、この場合には、傾斜して配置された段状をした一対の側板のそれぞれに対し、外側支持具１０を取付け、その外側支持具１０の上に踏み板を取付けることとなる。つまり、内側支持具２０は省略される。
【００３３】
更に、上述した実施形態では締結部品にビス１８を用いているが、本発明はこれに限らない。例えばネジ釘や普通の釘などを用いる場合にも同様に適用可能である。
【図面の簡単な説明】
【００３４】
【図１】本発明の一実施形態に係る支持具により階段用踏み板を支持する支持構造としての螺旋階段部分を斜め下側から見た図である。
【図２】図１の螺旋階段部分を真下から見た図である。
【図３】踏み板の外側を支持する支持具を示す斜視図である。
【図４】図３のＩＶ−ＩＶ線による断面図である。
【図５】踏み板の内側を支持する支持具を示す斜視図である。
【図６】図５のＶＩ−ＶＩ線による断面図である。
【図７】（ａ）は上側固定部材を示す平面図、（ｂ）は（ａ）のＢ−Ｂ線による断面図、（ｃ）は上側固定部材を示す正面図、（ｄ）は上側固定部材を示す底面図である。
【図８】（ａ）は下側固定部材を示す平面図、（ｂ）は（ａ）のＡ−Ａ線による断面図、（ｃ）は下側固定部材を示す正面図、（ｄ）は下側固定部材を示す底面図である。
【図９】（ａ）は応力緩和部材を示す平面図、（ｂ）は（ａ）のＣ−Ｃ線による断面図、（ｃ）は応力緩和部材を示す正面図、（ｄ）は応力緩和部材を示す底面図である。
【符号の説明】
【００３５】
Ｘ    螺旋階段部分（支持構造）
１、１Ａ、１Ｂ、１Ｃ    踏み板
２    柱（支持部材）
３    壁（支持部材）
１０    外側支持具
１１    支持具本体
１２    踏み板取付片
１２ａ    踏み板用取付孔
１３    支持部材取付片
１３ａ    支持部材用取付孔
１４    応力緩和部材
１４ａ    第１環状部
１４ｂ    第２環状部
１６    上側固定部材（固定手段）
１６ａ    連結部
１７    下側固定部材（固定手段）
１７ａ    ビス取付部
１７ｂ    当接部
１８    ビス（締結部品）
２０    内側支持具
２１    支持具本体
２２、２３    コの字状部材
２２ａ、２２ｂ、２３ａ、２３ｂ    端部
【図１】
0005005505.tif 000002
【図２】
0005005505.tif 000003
【図３】
0005005505.tif 000004
【図４】
0005005505.tif 000005
【図５】
0005005505.tif 000006
【図６】
0005005505.tif 000007
【図７】
0005005505.tif 000008
【図８】
0005005505.tif 000009
【図９】
0005005505.tif 000010